(57)【要約】【課題】購買者が近くの商品陳列棚１００に陳列されている商品１０２だけでなく、離れた商品陳列棚１００に陳列されている商品１０２も容易に知ることができるＰＯＰカード用ホルダー１０を提供すること。【解決手段】ケーシング１１内にＰＯＰカード保持体１２を圧入し、ケーシング１１の第１嵌合枠１１ｐに掛止片１３の第２嵌合枠１３ａを圧入し、掛止片１３の係止片１３ｅをＰＯＰカード保持体１２の第２係止段部１２ｆに係止することにより、ケーシング１１とＰＯＰカード保持体１２及び掛止片１３を一体的に組み付ける。接着剤を必要とすることなくケーシング１１とＰＯＰカード保持体１２及び掛止片１３の３部材を組み立てることができる。ＰＯＰカード１０４をケーシング１１の正面開口１１ａを通して両ＰＯＰカード保持片１２ａ，１２ｂの間に挿入すると、ＰＯＰカード１０４が左右の保持突起１２ｄで挟持される。ＰＯＰカード用ホルダー１０で挟持したＰＯＰカード１０４はプライスレール１０１から通路側へ突出する。【選択図】図１
2018011707.tif 000002
【特許請求の範囲】
【請求項１】
ケーシングと、ケーシング内に圧入されるＰＯＰカード保持体と、ケーシングの背面に組み付けられる掛止片の３部材を備え、各部材にプラスチック成型品を用いたＰＯＰカード用ホルダーであって、
ケーシングは開口を形成した正面と、左右両側面と、背面と、底面及び上端開口から成る箱構造を有し、背面の上端部に通孔を有する第１嵌合枠が設けられ、
ＰＯＰカード保持体は左右一対のＰＯＰカード保持片と両ＰＯＰカード保持片の背面を連結する連結面から成り、各ＰＯＰカード保持片の内面に複数個の保持突起を、その先端部が基端部より連結面側に偏るように傾斜して設けるとともに、一方のＰＯＰカード保持片の保持突起の先端部と他方のＰＯＰカード保持片の保持突起の先端部が略一直線上に整列し、かつ一方のＰＯＰカード保持片の隣接する２個の保持突起の間に他方のＰＯＰカード保持片の１個の保持突起の先端部が位置するように配置し、連結面の上端部に係止段部を形成し、
掛止片はその上端部に第２嵌合枠と係止片を形成し、
ケーシングの上端開口からＰＯＰカード保持体をケーシング内に圧入してケーシングの背面にＰＯＰ保持体の連結面を圧接し、ケーシングの両側面にＰＯＰ保持体の保持片を圧接し、掛止片の第２嵌合枠をケーシングの第１嵌合枠に圧入するとともに、掛止片の係止片をケーシングの第１嵌合枠の通孔に挿入し、該係止片をＰＯＰ保持体の係止段部に係止して、ケーシングにＰＯＰカード保持体と掛止片を組み付け、
ケーシングの正面の開口を通して両ＰＯＰ保持片の間に挿入したＰＯＰカードを左右の保持突起で挟持し、掛止片をレール部材に着脱可能に掛止するようにしたことを特徴とするＰＯＰカード用ホルダー。
【請求項２】
第１嵌合枠がケーシングの背面の上端部の両側縁から後方へ凸設した左右一対の凸片と、両凸片を連結する連結片から成り、両凸片と連結片門型に形成し、ケーシング背面の上端面と第１嵌合枠の連結片で前記通孔を区画形成し、第１嵌合枠の連結片の内面に係止段部を形成し、
第２嵌合枠が掛止片の上端部の両側縁から内側へ凸設した凸片を備え、前記係止片が掛止片の上端部から内側に直角に折れ曲がり、両凸片が係止片で連結され、係止片の上面に嵌合凸条が形成され、
掛止片の第２嵌合枠をケーシングの第１嵌合枠に圧入し、係止片を前記通孔に挿入して、係止片をＰＯＰカード保持体の係止段部に係止したとき、係止片の前記嵌合凸条が第１嵌合枠の前記係止段部嵌め殺し状に係止するようにしたことを特徴とする請求項１に記載のＰＯＰカード用ホルダー。
【請求項３】
ケーシング及び又は掛止片を硬質プラスチックで成型し、ＰＯＰカード保持体を軟質プラスチックで成型したことを特徴とする請求項１に記載のＰＯＰカード用ホルダー。
【請求項４】
前記各ＰＯＰカード保持片の正面側端部に直線溝を形成し、ケーシングの正面内側に、ＰＯＰカード保持体をケーシングに圧入するとき各直線溝に嵌合する嵌合凸条を形成したことを特徴とする請求項３に記載のＰＯＰカード用ホルダー。
【請求項５】
前記保持突起の先端部に微小凹凸を形成したことを特徴とする請求項１に記載のＰＯＰカード用ホルダー。
【発明の詳細な説明】
【技術分野】
【０００１】
本発明は、商品名、値段、商品管理用バーコード等が記載された販促用のＰＯＰカードのホルダーに関し、より詳しくはコンビニエンスストア、ショッピングセンター、ドラッグストア等の商品陳列棚の前端部に設けられたプライスレールにＰＯＰカードを取り付けるに好適なＰＯＰカード用ホルダーに関する。
【背景技術】
【０００２】
コンビニエンスストア等の商品陳列棚１００の前端部には図１３に示すように、プライスレール１０１が取り付けられている。一般に、このプライスレール１０１は透明なプラスチックで成型され、棚１００に置かれた商品１０２の商品名や値段を記載したＰＯＰカード１０３を挟持するホルダー部が一体的に設けられている。
【先行技術文献】
【特許文献】
【０００３】
【特許文献１】引用なし
【発明の概要】
【発明が解決しようとする課題】
【０００４】
コンビニエンスストアで買い物をするとき、通常、購買者は対向配置された商品陳列棚１００と商品陳列棚１００の間の通路を歩きながら商品陳列棚１００に陳列されている商品１０２やプライスレール１０１に取り付けられているＰＯＰカード１０３を見て、所望する商品１０２を探す。通路を歩かないで立っているだけでは、近くの商品１０２やＰＯＰカード１０３を見ることはできても、離れている商品１０２は横に置かれた他の商品１０２の後ろに隠れてしまうため見ることができない。また、離れた所からＰＯＰカード１０３を見ても、ＰＯＰカード１０３はプライスレール１０１と平行にホルダー部に装着されているため購買者の視線がＰＯＰカード１０３に対して斜めになり、購買者はＰＯＰカード１０３を読み取ることができない。そのため、時として購買者は所望する商品１０２を探し出すために通路を一周しなければならず、買い物に時間を要し、甚だ不便であった。
【０００５】
本発明は上記不便に鑑み、購買者が近くの商品棚に陳列されている商品だけでなく、離れた商品棚に陳列されている商品も容易に知ることができるＰＯＰカード用ホルダーを提供することを目的とする。
【課題を解決するための手段】
【０００６】
請求項１に記載の発明は、
ケーシングと、ケーシング内に圧入されるＰＯＰカード保持体と、ケーシングの背面に組み付けられる掛止片の３部材を備え、各部材にプラスチック成型品を用いたＰＯＰカード用ホルダーであって、
ケーシングは開口を形成した正面と、左右両側面と、背面と、底面及び上端開口から成る箱構造を有し、背面の上端部に通孔を有する第１嵌合枠が設けられ、
ＰＯＰカード保持体は左右一対のＰＯＰカード保持片と両ＰＯＰカード保持片の背面を連結する連結面から成り、各ＰＯＰカード保持片の内面に複数個の保持突起を、その先端部が基端部より連結面側に偏るように傾斜して設けるとともに、一方のＰＯＰカード保持片の保持突起の先端部と他方のＰＯＰカード保持片の保持突起の先端部が略一直線上に整列し、かつ一方のＰＯＰカード保持片の隣接する２個の保持突起の間に他方のＰＯＰカード保持片の１個の保持突起の先端部が位置するように配置し、連結面の上端部に係止段部を形成し、
掛止片はその上端部に第２嵌合枠と係止片を形成し、
ケーシングの上端開口からＰＯＰカード保持体をケーシング内に圧入してケーシングの背面にＰＯＰ保持体の連結面を圧接し、ケーシングの両側面にＰＯＰ保持体の保持片を圧接し、掛止片の第２嵌合枠をケーシングの第１嵌合枠に圧入するとともに、掛止片の係止片をケーシングの第１嵌合枠の通孔に挿入し、該係止片をＰＯＰ保持体の係止段部に係止して、ケーシングにＰＯＰカード保持体と掛止片を組み付け、
ケーシングの正面の開口を通して両ＰＯＰ保持片の間に挿入したＰＯＰカードを左右の保持突起で挟持し、掛止片をレール部材に着脱可能に掛止するようにしたことを特徴とする。
【０００７】
請求項２に記載の発明は、請求項１に記載のＰＯＰカード用ホルダーにおいて、
第１嵌合枠がケーシングの背面の上端部の両側縁から後方へ凸設した左右一対の凸片と、両凸片を連結する連結片から成り、両凸片と連結片門型に形成し、ケーシング背面の上端面と第１嵌合枠の連結片で前記通孔を区画形成し、第１嵌合枠の連結片の内面に係止段部を形成し、
第２嵌合枠が掛止片の上端部の両側縁から内側へ凸設した凸片を備え、前記係止片が掛止片の上端部から内側に直角に折れ曲がり、両凸片が係止片で連結され、係止片の上面に嵌合凸条が形成され、
掛止片の第２嵌合枠をケーシングの第１嵌合枠に圧入し、係止片を前記通孔に挿入して、係止片をＰＯＰカード保持体の係止段部に係止したとき、係止片の前記嵌合凸条が第１嵌合枠の前記係止段部嵌め殺し状に係止するようにしたことを特徴とする。
【０００８】
請求項３に記載の発明は、請求項１に記載のＰＯＰカード用ホルダーにおいて、
ケーシング及び又は掛止片を硬質プラスチックで成型し、ＰＯＰカード保持体を軟質プラスチックで成型したことを特徴とする。
【０００９】
請求項４に記載の発明は、請求項３に記載のＰＯＰカード用ホルダーにおいて、
前記各ＰＯＰカード保持片の正面側端部に直線溝を形成し、ケーシングの正面内側に、ＰＯＰカード保持体をケーシングに圧入するとき各直線溝に嵌合する嵌合凸条を形成したことを特徴とする。
【００１０】
請求項５に記載の発明は、請求項１に記載のＰＯＰカード用ホルダーにおいて、
前記保持突起の先端部に微小凹凸を形成したことを特徴とする。
【発明の効果】
【００１１】
請求項１に係るＰＯＰカード用ホルダーよれば、ケーシング内にＰＯＰカード保持体を圧入し、ケーシングの通孔に掛止片の嵌合凸部を圧入し、掛止片の係止片をＰＯＰカード保持体の係止段部に係止することにより、ケーシングとＰＯＰカード保持体及び掛止片を一体的に組み付けるので、接着剤を必要とすることなく組み立てることができる。そのため、製造コストを低減できる。
しかして、本発明に係るＰＯＰカード用ホルダーをプライスレールに掛止し、ＰＯＰカードをカード保持体のＰＯＰカード保持片の間に挿入すると、ＰＯＰカードがプライスレールから通路側へ突出して展示されるので、購買者は離れたところに立っていてもＰＯＰカードを読み取ることができる。そのため、購買者は商品やＰＯＰカードの近くまで歩いていかなくても、商品やその値段を確かめることができる。
ケーシング、ＰＯＰカード保持体及び掛止片の各部材をプラスチックで成型するので、各部材の材料となるプラスチックの色彩を種々選択することにより、低コストでカラフルな製品にできる。
また、ケーシング、ＰＯＰカード保持体及び掛止片はそれぞれ別部材として成型されているので、廃棄時、材質や色彩が違っても分別できるためリサイクルが容易になる。
【００１２】
請求項２に記載の発明によれば、掛止片の係止片がＰＯＰカード保持体の係止段部に係止し、係止片に設けた嵌合凸条がケーシングの第１嵌合枠に設けた係止段部に係止するので、ケーシングとＰＯＰカード保持体及び掛止片が嵌め殺しとなって一体的に結合できる。
【００１３】
請求項３に係る発明によれば、軟質プラスチック製のＰＯＰカード保持体の有する弾力により、ＰＯＰカードをしっかりと保持できる。
【００１４】
請求項４に記載の発明によれば、硬質プラスチック製のケーシングに形成した嵌合凸条によって軟質プラスチック製の両ＰＯＰカード保持片の間隔を一定に保つことができ、ＰＯＰカードを両ＰＯＰカード保持片の保持突起でしっかりと保持できる。
【００１５】
請求項５に記載の発明によれば、微小凹凸による摩擦力でＰＯＰカードをしっかりと保持突起で挟持できる。
【図面の簡単な説明】
【００１６】
【図１】本発明の一実施例に係るＰＯＰカード用ホルダーを示す正面側から見た斜視図である。
【図２】同ＰＯＰカード用ホルダーを示す背面側から見た斜視図である。
【図３】同ＰＯＰカード用ホルダーを示す平面図である。
【図４】同ＰＯＰカード用ホルダーを示す図３の４−４線から切断した断面図である。
【図５】同ＰＯＰカード用ホルダーのケーシングを示す正面側から見た斜視図である。
【図６】同ＰＯＰカード用ホルダーのケーシングを示す背面側から見た斜視図である。
【図７】同ＰＯＰカード用ホルダーのＰＯＰカード保持体を示す正面側から見た斜視図である。
【図８】同ＰＯＰカード用ホルダーのＰＯＰカード保持体を示す背面側から見た斜視図である。
【図９】同ＰＯＰカード用ホルダーのＰＯＰカード保持体を示す断面図である。
【図１０】同ＰＯＰカード用ホルダーの掛止片斜視図である。
【図１１】同ＰＯＰカード用ホルダーの掛止片を示す断面図である。
【図１２】同ＰＯＰカード用ホルダーの使用方法を示す説明図である。
【図１３】コンビニエンスストアの商品陳列棚を示す説明図である。
【実施例】
【００１７】
以下に本発明を図面に基づき説明する。図１〜図３には本発明の一実施例に係るＰＯＰカード用ホルダー１０が示されている。当該ＰＯＰカード用ホルダー１０はケーシング１１と、ケーシング１１内に圧入したＰＯＰカード保持体１２と、ケーシング１１の背面に組み付けた掛止片の３部材で構成され、ケーシング１１と掛止片１３はＡＢＳ樹脂を材料とする成型品が用いられ、ＰＯＰカード保持体１２はＴＰＥ（熱可塑性エラストマー）を材料とする成型品が用いられている。
【００１８】
図５及び図６に示すように、ケーシング１１は長方形の開口１１ａを区画形成する右側正面１１ｂと左側正面１１ｃと、左右両側面１１ｄ，１１ｅと、背面１１ｆと、長方形の開口１１ｇを区画形成する右側底面１１ｈと左側底面１１ｊ及び上端開口１１ｋから成る箱構造を有している。図３に示すようにケーシング１１の右側正面１１ｂと左側正面１１ｃの内面には細い直線状の第１嵌合凸条１１ｍが設けられている。
【００１９】
左右両側面１１ｄ，１１ｅはそれぞれ背面１１ｆから正面１１ｂ，１１ｃに向かって間隔が漸減するように傾斜している。左右両側面１１ｄ，１１ｅと背面１１ｆの交差する角隅部には、図３及び図５に示すように、背面１１ｆの上端部から下端部へと延びる第１嵌合溝１１ｎが形成されている。また、背面１１ｆの上端部には第１嵌合枠１１ｐ設けられている。第１嵌合枠１１ｐは背面１１ｆの上端部の両側縁から後方へ凸設した左右一対の凸片１１ｑと、両凸片１１ｑを連結する連結片１１ｒから成り、両凸片１１ｑと連結片１１ｒで門型に構成され、背面１１ｆの上端面と第１嵌合枠１１ｐの連結片１１ｒで横長長方形の通孔１１ｓが区画形成されている。第１嵌合枠１１ｐの連結片１１ｒの内面には図４に示すように第１係止段部１１ｔが形成され、連結片１１ｒの長手方向に延びている。
【００２０】
図７〜図９に示すように、ＰＯＰカード保持体１２は左右一対のＰＯＰカード保持片１２ａ，１２ｂと、両ＰＯＰカード保持片１２ａ，１２ｂの間に所定幅の隙間が形成されるように両ＰＯＰカード保持片１２ａ，１２ｂの背面を連結する連結面１２ｃから成る。各ＰＯＰカード保持片１２ａ，１２ｂの左右両側面はケーシング１１の左右両側面１１ｄ，１１ｅと同じ傾斜角度を有するように形成されている。一方のＰＯＰカード保持片１２ａの内面には２個の保持突起１２ｄが設けられ、他方のＰＯＰカード保持片１２ｂの内面には３個の保持突起１２ｄが設けられている。図９に示すように、各保持突起１２ｄはその先端部が基端部より連結面側に偏るように傾斜して設けられている。また、一方のＰＯＰカード保持片１２ａの保持突起１２ｄの先端部と他方のＰＯＰカード保持片１２ｂの保持突起１２ｄの先端部が略一直線上に整列し、かつＰＯＰカード保持片１２ｂの隣接する２個の保持突起１２ｄの間にＰＯＰカード保持片１２ａの保持突起１２ｄの先端部が位置するように配置されている。図９に拡大して示すように、各保持突起１２ｄの先端部には微小凹凸１２ｅが形成されている。ＰＯＰカード保持体１２の連結面１２ｃの上端部には第２係止段部１２ｆが形成されている。連結面１２の左右両端はＰＯＰカード保持片の後端部から左右両側に突出して第２嵌合凸条１２ｇを形成している。また、ＰＯＰカード保持片１２ａ，１２ｂの正面側の先端部には第２嵌合溝１２ｈが形成されている。
【００２１】
図１０及び図１１に示すように、掛止片１３はケーシング１１の背面と略同形、同大の長方形を有し、その上端部に第２嵌合枠１３ａが形成されている。第２嵌合枠１３ａは掛止片１３の上端部の両側縁から内側へ凸設した凸片１３ｂ，１３ｃと両凸片１３ｂ，１３ｃを連結する連結片１３ｄから成り、両凸片１３ｂ，１３ｃと連結片１３ｄで逆門型に形成されている。また、掛止片１３の上端部には横長長方形の係止片１３ｅが形成されている。この係止片１３ｅは掛止片１３の上端部から内側に直角を成して折れ曲がるとともに、両凸片１３ｂ，１３ｃを連結している。図１１に示すように、係止片１３ｅの上面には第３嵌合凸条１３ｆが形成されている。
【００２２】
ケーシング１１、ＰＯＰカード保持体１２及び掛止片１３の構造は以上の通りであって、ケーシング１１の上端開口１１ｋからＰＯＰカード保持体１２をケーシング１１内に圧入し、ケーシング１１の背面１１ｆにＰＯＰカード保持体１２の連結面１２ｃを圧接させ、ケーシング１１の両側面１１ｄ，１１ｅにＰＯＰカード保持体１２の保持片１２ａ，１２ｂを圧接させてケーシング１１にＰＯＰカード保持体１２を組み付ける。このとき、ケーシング１１の第１嵌合溝１１ｎにＰＯＰカード保持体１２の第２嵌合凸条１２ｇを嵌合させ、ＰＯＰカード保持体１２の第３嵌合溝１２ｈにケーシング１１の第１嵌合凸条１１ｍを嵌合させる。
【００２３】
次いで、掛止片１３の第２嵌合枠１３ａをケーシング１１の第１嵌合枠１１ｐに圧入し、掛止片１３の係止片１３ｅをケーシング１１の通孔１１ｓに挿入し、係止片１３ｅをＰＯＰカード保持体１２の第２係止段部１２ｆに係止する。このとき、係止片１３の第３嵌合凸条１３ｆをケーシング１１の第１係止段部１１ｔに係止させる。このようにしてケーシング１１とＰＯＰ保持体１２及び掛止片１３を一体的に組み付けることによりＰＯＰカード用ホルダー１０を組み立てる。
【００２４】
組み立てたＰＯＰカード用ホルダー１０は図１２に示すように、掛止片１３をプライスレール１０１に掛止することによりプライスレール１０１に装着する。ＰＯＰカード１０４をケーシング１１の正面開口１１ａを通して両ＰＯＰカード保持片１２ａ，１２ｂの間に挿入すると、ＰＯＰカード１０４が左右の保持突起１２ｄで挟持される。ＰＯＰカード用ホルダー１０で挟持したＰＯＰカード１０４はプライスレール１０１から通路側へ突出する。
【００２５】
本実施例に係るＰＯＰカード用ホルダー１０によれば、ケーシング１１内にＰＯＰカード保持体１２を圧入し、ケーシング１１の第１嵌合枠１１ｐに掛止片１３の第２嵌合枠１３ａを圧入し、掛止片１３の係止片１３ｅをＰＯＰカード保持体１２の第２係止段部１２ｆに係止することにより、ケーシング１１とＰＯＰカード保持体１２及び掛止片１３を一体的に組み付けるので、接着剤を必要とすることなくケーシング１１とＰＯＰカード保持体１２及び掛止片１３の３部材を組み立てることができる。そのため、低コストで製造できる。
【００２６】
とりわけ、本実施例によれば、掛止片１３の係止片１３ｅがＰＯＰカード保持体１２の第２係止段部１２ｆに係止し、係止片１３ｅに設けた第１嵌合凸条１３ｆがケーシング１１の第１嵌合枠１１ｐに設けた第１係止段部１１ｔに係止するので、ケーシング１１とＰＯＰカード保持体１２及び掛止片１３が嵌め殺しとなって一体的に結合できる。
【００２７】
ＰＯＰカード１０３をプライスレール１１から通路側へ突出するように展示できるので、購買者は離れたところに立っていてもＰＯＰカード１０３を読み取ることができる。そのため、購買者は商品１０２やＰＯＰカード１０３，１０４の近くまで歩いていかなくても、商品１０２やその値段を確かめることができ、利便性が向上する。
【００２８】
ケーシング１１、ＰＯＰカード保持体１２及び掛止片１３の各部材をプラスチックで成型するので、各部材の材料となるプラスチックの色彩を種々選択することにより、低コストでカラフルな製品にできる。
【００２９】
ＰＯＰカード保持体１２の材質に軟質プラスチックであるＴＰＥを用いたので、軟質プラスチックの有する弾力により、ＰＯＰカード１０４をしっかりと保持できる。また、材質に硬質プラスチックであるＡＢＳ樹脂製を用いたケーシング１１に形成した第１嵌合凸条１１ｍと軟質プラスチック製の両ＰＯＰカード保持片１２に形成した第２嵌合溝１２ｈとの嵌合によってＰＯＰカード保持片１２ａ，１２ｂの間隔を一定に保つことができ、ＰＯＰカード１０４を両ＰＯＰカード保持片１２ａ，１２ｂの保持突起１２ｄでしっかりと保持できる。さらにまた、保持突起１２ｄに微小凹凸１２ｅを形成したので、微小突起１２ｅによる摩擦力でＰＯＰカード１０３をしっかりと挟持できる。
【符号の説明】
【００３０】
１０…ＰＯＰカード用ホルダー
１１…ケーシング
１１ａ…開口
１１ｂ…右側正面
１１ｃ…左側正面
１１ｄ，１１ｅ…側面
１１ｆ…背面
１１ｈ…右側底面
１１ｊ…左側底面
１１ｋ…上端開口
１１ｍ…第１嵌合凸条
１１ｎ…第１嵌合溝
１１ｐ…第１嵌合枠
１１ｑ…凸片
１１ｒ…連結片
１１ｓ…通孔
１１ｔ…第１係止段部
１２…ＰＯＰカード保持体
１２ａ，１２ｂ…ＰＯＰカード保持片
１２ｃ…連結面
１２ｄ…保持突起
１２ｅ…微小凹凸
１２ｆ…第２係止段部
１２ｇ…第２嵌合凸条
１２ｈ…第２嵌合溝
１３…掛止片
１３ａ…第２嵌合枠
１３ｂ，１３ｃ…凸片
１３ｄ…連結片
１３ｅ…係止片
１３ｆ…第３嵌合
１０２…プライスレール
１０３，１０４…ＰＯＰカード
【図１】
2018011707.tif 000003
【図２】
2018011707.tif 000004
【図３】
2018011707.tif 000005
【図４】
2018011707.tif 000006
【図５】
2018011707.tif 000007
【図６】
2018011707.tif 000008
【図７】
2018011707.tif 000009
【図８】
2018011707.tif 000010
【図９】
2018011707.tif 000011
【図１０】
2018011707.tif 000012
【図１１】
2018011707.tif 000013
【図１２】
2018011707.tif 000014
【図１３】
2018011707.tif 000015